(57)【要約】  【課題】床版上を移動する移動体の運動を適切に解析できるようにする。  【解決手段】加速度センサーは、移動体の移動方向を規制する移動方向規制手段の規制方向に沿って延在する構造物の側端部に、構造物上の付属物と少なくとも所定距離離して設置される。【選択図】図１
2017120207.tif 000002
【特許請求の範囲】
【請求項１】
加速度センサーを、移動体の移動方向を規制する移動方向規制手段の規制方向に沿って延在する構造物の側端部に、前記構造物上の付属物と少なくとも所定距離離して設置する、
ことを特徴とする加速度センサーの設置方法。
【請求項２】
請求項１に記載の加速度センサーの設置方法であって、
前記付属物を境界として前記規制方向に沿った方向に前記側端部を第１の領域と第２の領域とに区分した場合、前記加速度センサーを、前記側端部の第１の領域と第２の領域のうちの前記規制方向に沿う方向の中央部を含む領域に設置する、
ことを特徴とする加速度センサーの設置方法。
【請求項３】
請求項１に記載の加速度センサーの設置方法であって、
前記付属物と前記側端部の前記規制方向に沿う方向の中央部とが前記所定距離離れている場合、前記加速度センサーを前記中央部に設置する、
ことを特徴とする加速度センサーの設置方法。
【請求項４】
請求項１に記載の加速度センサーの設置方法であって、
前記構造物上の付属物は、前記構造物の本体部から鉛直方向に延在する柱状部を含む形状である、
ことを特徴とする加速度センサーの設置方法。
【請求項５】
請求項４に記載の加速度センサーの設置方法であって、
前記所定距離は、前記構造物上の付属物の前記柱状部の鉛直方向の長さの１／５である、
ことを特徴とする加速度センサーの設置方法。
【請求項６】
請求項１に記載の加速度センサーの設置方法であって、
前記所定距離は、前記付属物の水平方向からの投影面積に比例する、
ことを特徴とする加速度センサーの設置方法。
【請求項７】
請求項１に記載の加速度センサーの設置方法であって、
前記構造物は、橋梁の床版である、
ことを特徴とする加速度センサーの設置方法。
【請求項８】
請求項１に記載の加速度センサーの設置方法であって、
前記加速度センサーから加速度データを受信する制御装置を前記加速度センサーから所定距離離して設置する、
ことを特徴とする加速度センサーの設置方法。
【請求項９】
移動体の移動方向を規制する移動方向規制手段の規制方向に沿って延在する構造物の側端部に、前記構造物上の付属物から所定距離離れて設置される、
ことを特徴とする加速度センサー。
【請求項１０】
移動体の移動方向を規制する移動方向規制手段の規制方向に沿って延在する構造物の側端部に、前記構造物上の付属物から所定距離離れて設置される加速度センサーから加速度データを受信する、
ことを特徴とする制御装置。
【請求項１１】
請求項１０に記載の制御装置であって、
移動体の移動方向を規制する移動方向規制手段の規制方向に沿って延在する構造物の側端部に、前記加速度センサーから所定距離離れて設置される、
ことを特徴とする制御装置。
【請求項１２】
請求項１０に記載の制御装置であって、
前記付属物を境界として前記規制方向に沿った方向に前記側端部を第１の領域と第２の領域とに区分した場合、前記加速度センサーは、前記側端部の第１の領域と第２の領域のうちの前記規制方向に沿う方向の中央部を含む領域に設置される、
ことを特徴とする制御装置。
【請求項１３】
請求項１０に記載の制御装置であって、
前記付属物と前記側端部の前記規制方向に沿う方向の中央部とが前記所定距離離れている場合、前記加速度センサーは前記中央部に設置される、
ことを特徴とする制御装置。
【請求項１４】
請求項１０に記載の制御装置であって、
前記構造物上の付属物は、前記構造物の本体部から鉛直方向に延在する柱状部を含む形状である、
ことを特徴とする制御装置。
【請求項１５】
請求項１４に記載の制御装置であって、
前記所定距離は、前記構造物上の付属物の前記柱状部の鉛直方向の長さの１／５である、
ことを特徴とする制御装置。
【請求項１６】
請求項１０に記載の制御装置であって、
前記所定距離は、前記付属物の水平方向からの投影面積に比例する、
ことを特徴とする制御装置。
【請求項１７】
請求項１０に記載の制御装置であって、
前記構造物は、橋梁の床版である、
ことを特徴とする制御装置。
【請求項１８】
移動体の移動方向を規制する移動方向規制手段の規制方向に沿って延在する構造物の側端部に、前記構造物上の付属物から所定距離離れて設置される加速度センサーと、
前記加速度センサーから加速度データを受信する制御装置と、
を有することを特徴とする計測システム。
【発明の詳細な説明】
【技術分野】
【０００１】
本発明は、加速度センサーの設置方法、加速度センサー、制御装置、および計測システムに関する。
【背景技術】
【０００２】
特許文献１には、橋梁通過車両の重量計測手段において、走行路に沿って複数の速度検知用センサーを設置して通過車両の走行速度を検出するとともに、走行路に車軸検知用センサーを設置して通過車両の車軸位置および車軸数を検出し、走行速度と車軸位置により通過車両の車両認識を行い、橋梁に変形量計測手段を設置して橋梁の変形量を設定された計測時間内に複数回、かつ少なくとも車両認識された通過車両の車軸に対応して計測し、車両認識データと車軸に対応した変形量の計測データに基づき前記通過車両の重量を算出することが記載されている。
【先行技術文献】
【特許文献】
【０００３】
【特許文献１】特開２００５−３０７８６号公報
【発明の概要】
【発明が解決しようとする課題】
【０００４】
ところで、車両が橋梁上を移動すると、橋梁の床版は下方に撓む。橋梁の床版の撓みによる加速度を、床版に取り付けた加速度センサーによって検出することにより、橋梁上を移動する車両の運動を解析することができる。
【０００５】
しかし、床版には、例えば、照明柱等の付属物が取り付けられている場合がある。その付属物が風等によって揺れると、その揺れによる床版の振動を加速度センサーが検出し、床版上を移動する車両の運動を適切に解析できなくなるという問題がある。
【０００６】
そこで本発明は、構造物上を移動する移動体の運動を適切に解析することを目的とする。
【課題を解決するための手段】
【０００７】
上記の課題を解決するための本発明の第一の態様は、加速度センサーを、移動体の移動方向を規制する移動方向規制手段の規制方向に沿って延在する構造物の側端部に、前記構造物上の付属物と少なくとも所定距離離して設置する、ことを特徴とする加速度センサーの設置方法である。第一の態様によれば、加速度センサーの付属物によるノイズを抑制し、構造物上を移動する移動体の運動を適切に解析することができる。
【０００８】
前記付属物を境界として前記規制方向に沿った方向に前記側端部を第１の領域と第２の領域とに区分した場合、前記加速度センサーを、前記側端部の第１の領域と第２の領域のうちの前記規制方向に沿う方向の中央部を含む領域に設置する、ことを特徴としてもよい。これにより、加速度センサーは、移動体の移動によって生じる構造物の加速度を明瞭に検出でき、構造物上を移動する移動体の運動を適切に解析できる。
【０００９】
前記付属物と前記側端部の前記規制方向に沿う方向の中央部とが前記所定距離離れている場合、前記加速度センサーを前記中央部に設置する、ことを特徴としてもよい。これにより、加速度センサーは、移動体の移動によって生じる構造物の加速度を明瞭に検出でき、構造物上を移動する移動体の運動を適切に解析できる。
【００１０】
前記構造物上の付属物は、前記構造物の本体部から鉛直方向に延在する柱状部を含む形状である、ことを特徴としてもよい。これにより、柱状部を含む形状の付属物によるノイズを適切に抑制することができる。
【００１１】
前記所定距離は、前記構造物上の付属物の前記柱状部の鉛直方向の長さの１／５である、ことを特徴としてもよい。これにより、加速度センサーは、移動体の移動によって生じる構造物の加速度を明瞭に検出でき、構造物上を移動する移動体の運動を適切に解析できる。
【００１２】
前記所定距離は、前記付属物の水平方向からの投影面積に比例する、ことを特徴としてもよい。これにより、加速度センサーの付属物によるノイズを適切に抑制することができる。
【００１３】
前記構造物は、橋梁の床版である、ことを特徴としてもよい。これにより、床版上を移動する移動体の運動を適切に解析することができる。
【００１４】
前記加速度センサーから加速度データを受信する制御装置を前記加速度センサーから所定距離離して設置する、ことを特徴としてもよい。これにより、加速度センサーの制御装置によるノイズを抑制することができる。
【００１５】
上記の課題を解決するための本発明の第二の態様は、移動体の移動方向を規制する移動方向規制手段の規制方向に沿って延在する構造物の側端部に、前記構造物上の付属物から所定距離離れて設置される、ことを特徴とする加速度センサーである。第二の態様によれば、加速度センサーの付属物によるノイズが抑制され、構造物上を移動する移動体の運動を適切に解析することができる。
【００１６】
上記の課題を解決するための本発明の第三の態様は、移動体の移動方向を規制する移動方向規制手段の規制方向に沿って延在する構造物の側端部に、前記構造物上の付属物から所定距離離れて設置される加速度センサーから加速度データを受信する、ことを特徴とする制御装置である。第三の態様によれば、制御装置は、構造物上を移動する移動体の運動を適切に解析することができる。
【００１７】
移動体の移動方向を規制する移動方向規制手段の規制方向に沿って延在する構造物の側端部に、前記加速度センサーから所定距離離れて設置される、ことを特徴としてもよい。これにより、制御装置によるノイズを適切に抑制することができる。
【００１８】
前記付属物を境界として前記規制方向に沿った方向に前記側端部を第１の領域と第２の領域とに区分した場合、前記加速度センサーは、前記側端部の第１の領域と第２の領域のうちの前記規制方向に沿う方向の中央部を含む領域に設置される、ことを特徴としてもよい。これにより、加速度センサーは、移動体の移動によって生じる構造物の加速度を明瞭に検出でき、制御装置は、構造物上を移動する移動体の運動を適切に解析できる。
【００１９】
前記付属物と前記側端部の前記規制方向に沿う方向の中央部とが前記所定距離離れている場合、前記加速度センサーは前記中央部に設置される、ことを特徴としてもよい。これにより、加速度センサーは、移動体の移動によって生じる構造物の加速度を明瞭に検出でき、制御装置は、構造物上を移動する移動体の運動を適切に解析できる。
【００２０】
前記構造物上の付属物は、前記構造物の本体部から鉛直方向に延在する柱状部を含む形状である、ことを特徴としてもよい。これにより、柱状部を含む形状の付属物によるノイズは適切に抑制される。
【００２１】
前記所定距離は、前記構造物上の付属物の前記柱状部の鉛直方向の長さの１／５である、ことを特徴としてもよい。これにより、加速度センサーは、移動体の移動によって生じる構造物の加速度を明瞭に検出でき、制御装置は、構造物上を移動する移動体の運動を適切に解析できる。
【００２２】
前記所定距離は、前記付属物の水平方向からの投影面積に比例する、ことを特徴としてもよい。これにより、加速度センサーの付属物によるノイズが適切に抑制される。
【００２３】
前記構造物は、橋梁の床版である、ことを特徴としてもよい。これにより、床版上を移動する移動体の運動を適切に解析することができる。
【００２４】
上記の課題を解決するための本発明の第四の態様は、移動体の移動方向を規制する移動方向規制手段の規制方向に沿って延在する構造物の側端部に、前記構造物上の付属物から所定距離離れて設置される加速度センサーと、前記加速度センサーから加速度データを受信する制御装置と、を有することを特徴とする計測システムである。第四の態様によれば、計測システムは、構造物上を移動する移動体の運動を適切に解析することができる。
【図面の簡単な説明】
【００２５】
【図１】本発明の一実施形態に係る橋梁の例を示した図である。
【図２】図１のＡＡ矢視図である。
【図３】床版３ａの変形の仕方の一例を説明する図である。
【図４】付属物の投影面積の例を説明する図である。
【図５】加速度センサーの設置例を説明する図である。
【図６】加速度センサーの設置の一例を示したフローチャートである。
【発明を実施するための形態】
【００２６】
以下、本発明の実施の形態を、図面を参照して説明する。
図１は、本発明の一実施形態に係る橋梁の例を示した図である。図１には、橋梁の側面図が示してある。
【００２７】
図１に示すように橋梁１は、陸地Ｌ１ａと陸地Ｌ１ｂとの間に設置されている。橋梁１は、橋台１ａ，１ｂと、橋脚１ｃと、主桁２ａ，２ｂと、床版３ａ，３ｂと、地覆４ａ，４ｂと、高欄５ａ，５ｂと、照明柱（本発明の付属物に相当する）６ａ，６ｂとを有している。加速度センサー１１と制御装置１２は、床版３ａに設置される。
【００２８】
橋台１ａは、例えば、陸地Ｌ１ａに隣接して設置されている。橋台１ｂは、例えば、陸地Ｌ１ｂに隣接して設置されている。橋脚１ｃは、橋台１ａ，１ｂの間に設置されている。
【００２９】
主桁２ａは、橋台１ａと橋脚１ｃとの上部に設置されている。主桁２ｂは、橋台１ｂと橋脚１ｃとの上部に設置されている。
【００３０】
床版３ａは、主桁２ａの上部に設置されている。床版３ｂは、主桁２ｂの上部に設置されている。
【００３１】
地覆４ａは、床版３ａの上部に設置されている。地覆４ｂは、床版３ｂの上部に設置されている。
【００３２】
高欄５ａは、地覆４ａの上部に設置されている。高欄５ｂは、地覆４ｂの上部に設置されている。
【００３３】
照明柱６ａは、床版３ａに設置されている。照明柱６ｂは、床版３ｂに設置されている。
【００３４】
加速度センサー１１は、車両（本発明の移動体に相当する）の移動方向を規制する移動方向規制手段の規制方向に沿って延在する橋梁１（本発明の構造物に相当する）の側端部に設置される。例えば、加速度センサー１１は、移動方向規制手段の規制方向に沿う方向に垂直な幅方向の、床版３ａの端部３ａａに設置される。その際、加速度センサー１１は、以下において詳述するが、床版３ａ上の付属物である照明柱６ａから、少なくとも所定距離離れるように、床版３ａの端部３ａａに設置される。なお、車両の移動方向を規制する移動方向規制手段は、例えば、床版３ａ上に示されている車線や高欄５ａ，５ｂである。加速度センサー１１には、加速度および角速度を出力する慣性センサーも含まれる。
【００３５】
制御装置１２は、制御部１２ａと、固定手段１２ｂとを有している。制御部１２ａは、床版３ａの端部３ａａに設置された加速度センサー１１から加速度データを受信する。制御部１２ａは、電子機器を搭載しており、加速度センサー１１から受信した加速度データに基づいて、床版３ａ，３ｂ上を移動する車両の運動を解析する。例えば、制御部１２ａの電子機器は、床版３ａ上を移動する車両の速度や走行車線、重量などを解析する。以下では、加速度センサー１１から出力される加速度データを単に加速度と表現する場合がある。
【００３６】
制御部１２ａは、バッテリーや太陽電池などの電源部を備え、制御部１２ａの電子機器は、その電源部の電力によって駆動する。制御部１２ａの電子機器は、解析した車両の運動情報を、例えば、携帯電話網などの無線通信を利用して、ネットワーク上の情報処理装置に送信する。
【００３７】
固定手段１２ｂは、例えば、ポールである。固定手段１２ｂは、一端が床版３ａの端部３ａａに固定される。また、固定手段１２ｂの他端には、制御部１２ａが固定される。これにより、制御装置１２は、床版３ａに固定される。
【００３８】
なお、制御装置１２は、車両の運動を解析せず、加速度センサー１１が検出した加速度を、ネットワーク上の情報処理装置に送信してもよい。そして、ネットワーク上の情報処理装置が、床版３ａ，３ｂ上の車両の運動を解析してもよい。
【００３９】
また、加速度センサー１１は、１つの橋梁１に対し、少なくとも１つ設置される。従って、加速度センサー１１は、床版３ｂの端部３ｂａに設置されてもよい。この場合、加速度センサー１１は、照明柱６ｂから所定距離離れて設置される。
【００４０】
また、加速度センサー１１は、床版３ａの端部３ａａと、床版３ｂの端部３ｂａとに設置してもよい。この場合、端部３ａａに設置される加速度センサー１１は、照明柱６ａから所定距離離れて設置され、端部３ｂａに設置される加速度センサー１１は、照明柱６ｂから所定距離離れて設置される。
【００４１】
図２は、図１のＡＡ矢視図である。図２において、図１と同じものには同じ符号が付してある。
【００４２】
図２に示すように、橋脚１ｃの上部には、３つの主桁２ａ，２ａａ，２ａｂが設置されている。床版３ａは、３つの主桁２ａ，２ａａ，２ａｂの上部に設置されている。
【００４３】
地覆４ａ，４ａａは、床版３ａの上面であって、端部３ａａの近傍に設置されている。高欄５ａ，５ａａは、地覆４ａ，４ａａの上部に設置されている。照明柱６ａ，６ａａは、床版３ａの上面であって、端部３ａａの近傍に設置されている。
【００４４】
加速度センサー１１は、床版３ａの端部３ａａに設置されている。端部３ａａは、例えば、床版３ａの移動方向規制手段の規制方向に沿った方向の側面である。加速度センサー１１は、床版３ａの下面の、床版３ａの移動方向規制手段の規制方向に沿った方向の端に設置されてもよい。制御装置１２の固定手段１２ｂは、一端が床版３ａの端部３ａａに固定されている。
【００４５】
図３は、床版３ａの撓みの一例を説明する図である。図３には、図１および図２に示した床版３ａの、中央部分で切断した斜視図が示してある。図３に示す位置Ｐ１は、床版３ａの端部３ａａの中央を示している。
【００４６】
床版３ａは、その上を車両が通過した場合、車両の荷重ｌｄにより下方向に撓む。位置Ｐ１は、橋台１ａと橋脚１ｃとから最も離れた位置であるため、床版３ａの垂直方向の位置（ｘ軸上の位置）の変化が他の位置と比べて大きく現れやすい。また、位置Ｐ１は、床版３ａの端部３ａａであるため、床版３ａの水平方向に対する傾き（ｚ軸の傾き）が、他の位置と比べて大きく現れやすい。従って、加速度センサー１１は、床版３ａの位置Ｐ１に取り付けられた場合、車両の通過によって生じる、床版３ａの垂直方向の加速度や幅員方向の加速度を明瞭に検出できる。つまり、加速度センサー１１は、床版３ａの端部３ａａの中央部（略中央部を含む）に設置されるのが望ましい。なお、ｙ軸およびｚ軸の加速度は、床版３ａの傾きによる重力成分である。
【００４７】
一方、床版３ａには、一般的に照明柱６ａ等の付属物が取り付けられる。付属物は、例えば、橋梁１の床版３ａから鉛直方向に延在する柱状部を含む形状を有している。付属物としては、照明柱、標識柱、信号柱、手摺支柱、高欄等がある。付属物が風等によって揺れると、付属物の床版３ａへの固定点を中心に床版３ａも振動し、加速度センサー１１は、その振動による加速度も検出する。風等によって生じた床版３ａの加速度は、車両の運動解析においてはノイズであり、加速度センサー１１によって検出されないのが望ましい。つまり、加速度センサー１１は、風等の影響によって揺れる付属物から離れて設置されるほどよい。
【００４８】
そこで、加速度センサー１１は、床版３ａの端部３ａａの中央部（位置Ｐ１）に近く、かつ床版３ａ上の付属物から、少なくとも所定距離離れて設置されるようにする。
【００４９】
付属物と加速度センサー１１との所定距離は、付属物の水平方向からの投影面積に比例する。投影面積が大きいほど、付属物が揺れたとき、床版３ａも大きく振動するからである。つまり、付属物の投影面積が大きいほど、加速度センサー１１は、付属物から離れるように設置される。
【００５０】
図４は、付属物の投影面積の例を説明する図である。図４には、床版３ａの付属物である照明柱６ａが示してある。照明柱６ａの投影面積とは、例えば、移動方向規制手段の規制方向に垂直な方向から、照明柱６ａに光を当てたときの、照明柱６ａの背後にあるスクリーンＳ１に投影される影の面積である。
【００５１】
照明柱６ａは、その投影面積が大きいほど、床版３ａに与えるモーメントが大きい。つまり、照明柱６ａは、その投影面積が大きいほど、風によって揺れた際、床版３ａに与える振動の影響が大きい。
【００５２】
そこで、付属物と加速度センサー１１との所定距離は、上記したように、付属物の水平方向からの投影面積に比例するようにする。つまり、所定距離は、付属物の水平方向からの投影面積を用いて算出される。
【００５３】
なお、所定距離は、付属物の水平方向からの投影面積、床版３ａの大きさ、および床版３ａの材質（硬さ）等を用いて算出されてもよい。
【００５４】
また、付属物の投影面積は、移動方向規制手段の規制方向と平行な方向から光を当てたときの、付属物の背後にあるスクリーンに投影される影の面積としてもよい。例えば、付属物の投影面積は、図４の紙面表側から裏面に向かって照明柱６ａに光を当て、照明柱６ａの背後にあるスクリーンに投影される影の面積としてもよい。
【００５５】
また、付属物の投影面積は、移動方向規制手段の規制方向に垂直な方向から、照明柱６ａに光を当てたときの投影面積と、移動方向規制手段の規制方向と平行な方向から、照明柱６ａに光を当てたときの投影面積との合計面積であってもよい。
【００５６】
また、水平方向のうちでも橋梁１の延在方向に垂直な方向からの投影面積に比例して所定距離を大きく設定してもよい。延在方向に垂直な方向からの風により橋梁が変形する時の影響を抑制するためである。
【００５７】
図５は、加速度センサーの設置例を説明する図である。図５には、図１に示した橋梁１の一部が示してある。図５において、図１と同じものには同じ符号を付し、その説明を省略する。なお、図５に示す矢印Ｃ１は、床版３ａの端部３ａａの中央部を示している。
【００５８】
加速度センサー１１は、床版３ａ上の付属物である照明柱６ａから、少なくとも所定距離離れて設置されるようにする。その際、加速度センサー１１は、床版３ａ上の付属物である照明柱６ａを境界とした床版３ａの端部３ａａの第１の領域と第２の領域とのうち、端部３ａａの中央部を含む領域において設置されるようにする。
【００５９】
例えば、図５の矢印Ａ１，Ａ２は、照明柱６ａを境界とした床版３ａの端部３ａａの第１の領域と第２の領域とを示している。この２つの領域のうち、矢印Ａ２に示す第２の領域に、端部３ａａの中央部（矢印Ｃ１）が含まれている。従って、加速度センサー１１は、端部３ａａの矢印Ａ２に示す第２の領域において、少なくとも照明柱６ａから所定距離離れて設置されるようにする。
【００６０】
具体的には、加速度センサー１１を照明柱６ａから離すべき所定距離は、「ｘ１」であるとする。この場合、加速度センサー１１は、矢印Ａ２に示す端部３ａａの第２の領域において、照明柱６ａ（例えば、照明柱６ａの床版３ａへの固定点）と少なくとも「ｘ１」離れて設置されるようにする。すなわち、加速度センサー１１は、端部３ａａの中央部から遠くならないように設置されるようにする（矢印Ａ１に示す第１の領域に設置されないようにする）。
【００６１】
このように、加速度センサー１１は、付属物の揺れの影響が小さくなるよう、付属物から離れて設置されるので、付属物によるノイズの影響を低減できる。また、加速度センサー１１は、床版３ａの端部３ａａの中央部に近い方に設置されるので、車両の通過によって生じる、床版３ａの加速度を明瞭に検出できる。これにより、制御装置１２は、床版上を移動する車両の運動を適切に解析できる。
【００６２】
なお、加速度センサー１１は、床版３ａの付属物である照明柱６ａと、床版３ａの端部３ａａの中央部（矢印Ｃ１）とが、所定距離以上離れている場合、端部３ａａの中央部に設置されるようにする。例えば、図５に示す矢印Ａ３は、照明柱６ａと端部３ａａの中央部との距離を示している。矢印Ａ３に示す距離が、所定距離以上離れている場合、加速度センサー１１は、矢印Ｃ１に示す端部３ａａの中央部に設置されるようにする。
【００６３】
また、制御装置１２も、床版３ａの付属物といえる。従って、加速度センサー１１を、床版３ａの端部３ａａに設置した後、制御装置１２の固定手段１２ｂを（例えば、固定手段１２ｂの端部３ａａへの固定点を）、加速度センサー１１から少なくとも所定距離離して設置する。
【００６４】
加速度センサー１１と制御装置１２との所定距離は、照明柱６ａ等の付属物と同様に、制御装置１２の投影面積に比例する。つまり、制御装置１２は、その投影面積が大きいほど、加速度センサー１１から離れるように設置される。加速度センサー１１と制御装置１２との所定距離は、制御装置１２の水平方向からの投影面積を用いて算出される。
【００６５】
例えば、加速度センサー１１と制御装置１２との距離は、「ｘ２」であるとする。この場合、制御装置１２は、図５に示すように、加速度センサー１１と少なくとも「ｘ２」離れて設置されるようにする。
【００６６】
なお、加速度センサー１１と制御装置１２との所定距離は、制御装置１２の水平方向からの投影面積、床版３ａの大きさ、および床版３ａの材質（硬さ）等を用いて算出されてもよい。
【００６７】
図６は、加速度センサー１１の設置の一例を示したフローチャートである。まず、床版３ａに設置されている照明柱６ａの投影面積を算出する（ステップＳ１）。
【００６８】
次に、ステップＳ１にて算出した投影面積を用いて、加速度センサー１１を照明柱６ａから離すべき距離（所定距離）を算出する（ステップＳ２）。
【００６９】
次に、加速度センサー１１を床版３ａの端部３ａａの中央部に設置したと仮定したとき、照明柱６ａと加速度センサー１１とが、ステップＳ２にて算出した所定距離離れているか否か判定する（ステップＳ３）。照明柱６ａと加速度センサー１１とが、ステップＳ２にて算出した所定距離離れている場合（Ｓ３の「Ｙｅｓ」）、ステップＳ４へ進む。照明柱６ａと加速度センサー１１とが、ステップＳ２にて算出した所定距離離れていない場合（Ｓ３の「Ｎｏ」）、ステップＳ５へ進む。
【００７０】
ステップＳ３にて、照明柱６ａと加速度センサー１１とが、ステップＳ２にて算出した所定距離離れていると判定した場合（Ｓ３の「Ｙｅｓ」）、加速度センサー１１を床版３ａの端部３ａａの中央部に設置する（ステップＳ４）。
【００７１】
ステップＳ３にて、照明柱６ａと加速度センサー１１とが、ステップＳ２にて算出した所定距離離れていないと判定した場合（Ｓ３の「Ｎｏ」）、加速度センサー１１を床版３ａの端部３ａａの中央部からずらし、照明柱６ａと加速度センサー１１とが、少なくともステップＳ２にて算出した所定距離離れるように設置する（ステップＳ５）。すなわち、加速度センサー１１は、照明柱６ａを境界とした床版３ａの端部３ａａの第１の領域と第２の領域とのうち、端部３ａａの中央部を含む領域において設置されるようにする。
【００７２】
次に、制御装置１２の投影面積を算出する（ステップＳ６）。
【００７３】
次に、ステップＳ６にて算出した制御装置１２の投影面積を用いて、制御装置１２を加速度センサー１１から離すべき距離（所定距離）を算出する（ステップＳ７）。
【００７４】
次に、制御装置１２を、少なくともステップＳ７にて算出した所定距離離して床版３ａの端部３ａａに設置する（ステップＳ８）。
【００７５】
なお、制御装置１２は、床版３ａに振動を与えないよう陸地Ｌ１ａ，Ｌ１ｂに設置されてもよい。または、制御装置１２は、固定手段１２ｂなしで端部３ａａに設置されてもよい。例えば、制御装置１２は、車両の移動方向を規制する移動方向規制手段の規制方向に沿って延在する橋梁１の端部３ａａに設置されてもよい。
【００７６】
このように、加速度センサー１１を、車両の移動方向を規制する移動方向規制手段の規制方向に沿った方向の床版３ａの端部３ａａであって、床版３ａ上の照明柱６ａと少なくとも所定距離離して設置する。これにより、加速度センサー１１の照明柱６ａによる揺れの影響が抑制されるので、床版３ａ上を移動する車両の運動を適切に解析できる。
【００７７】
また、加速度センサー１１を、付属物である照明柱６ａを境界とした端部３ａａの第１の領域と第２の領域とのうち、端部３ａａの中央部を含む領域において設置する。これにより、加速度センサー１１は、車両の移動によって生じる床版３ａの加速度を明瞭に検出できるので、床版３ａ上を移動する車両の運動を適切に解析できる。
【００７８】
また、付属物である照明柱６ａと、床版３ａの端部３ａａの中央部とが所定距離離れている場合、加速度センサー１１を端部３ａａの中央部に設置する。これにより、加速度センサー１１は、車両の移動によって生じる床版３ａの加速度を明瞭に検出できるので、床版３ａ上を移動する車両の運動を適切に解析できる。
【００７９】
また、加速度センサー１１と照明柱６ａとの距離は、照明柱６ａの水平方向からの投影面積に比例する。これにより、加速度センサー１１の照明柱６ａの揺れによるノイズを適切に抑制することができる。
【００８０】
また、加速度センサー１１を制御する制御装置１２を、加速度センサー１１から所定距離離して設置する。これにより、加速度センサー１１の制御装置の揺れによるノイズを抑制することができる。
【００８１】
なお、所定距離は、例えば、橋梁１上の照明柱６ａの柱状部の鉛直方向の長さの１／５としてもよい。
【００８２】
また、上記では、付属物と加速度センサー１１とを少なくとも離す所定距離は、付属物の水平方向からの投影面積に比例するとしたが、付属物の鉛直方向における長さ（高さ）に比例してもよい。また、付属物の水平方向における長さ（幅）に比例してもよい。
【００８３】
本発明の技術的範囲は、上記実施形態に記載の範囲には限定されない。上記実施形態に多様な変更又は改良を加えることが可能であることが当業者には明らかである。また、そのような変更又は改良を加えた形態も本発明の技術的範囲に含まれ得ることが、特許請求の範囲の記載から明らかである。また、本発明は、移動体の移動方向を規制する移動方向規制手段の規制方向に沿った方向の構造物の端部であって、構造物上の付属物から所定距離離れて設置される加速度センサー、加速度センサーから出力される加速度データを受信する制御装置、加速度センサーと制御装置とを有する計測システムとして提供することもできる。
【符号の説明】
【００８４】
１…橋梁、１ａ，１ｂ…橋台、１ｃ…橋脚、２ａ，２ｂ，２ａａ，２ａｂ…主桁、３ａ，３ｂ…床版、３ａａ…端部、４ａ，４ｂ，４ａａ…地覆、５ａ，５ｂ，５ａａ…高欄、６ａ，６ｂ，６ａａ…照明柱、１１…加速度センサー、１２…制御装置、１２ａ…制御部、１２ｂ…固定手段、Ｌ１ａ，Ｌ１ｂ…陸地。
【図１】
2017120207.tif 000003
【図２】
2017120207.tif 000004
【図３】
2017120207.tif 000005
【図４】
2017120207.tif 000006
【図５】
2017120207.tif 000007
【図６】
2017120207.tif 000008